(57)【特許請求の範囲】
【請求項１】
器具本体同士を連結装置で連結して被取付面に直線状に配列される照明装置において、
前記連結装置は、
前記隣合う器具本体端部の少なくとも天面部を被う連結部材と、
当該連結部材の両端に下方からそれぞれ螺着仮止めされた頭部を有するねじとを備え、
前記隣合う器具本体端部の天面部に、
前記連結部材に仮止めされたねじの頭部が通る挿通孔と、当該挿通孔に前記器具本体の長手方向に沿って連設され当該ねじのねじ部が通るスリット状孔とからなる瓢箪状孔をそれぞれ形成するとともに、前記挿通孔を前記スリット状孔よりも前記器具本体の長手方向の端に寄せて設け、かつ、前記挿通孔とスリット状孔との間に、前記連結部材に仮止めされたねじを前記隣合う器具本体を連結状態で締付けたとき、当該ねじの頭部の側面が突当たる突起部を設けたことを特徴とする照明装置。
【発明の詳細な説明】
【０００１】
【発明の属する技術分野】
本発明は、例えば、被取付面である天井面に複数の照明器具を直線状に多灯連結して取付けられる照明装置に関する。
【０００２】
【従来の技術】
従来技術について、図３から図５を参照して説明する。
【０００３】
図３および図４は照明器具を直線状に複数個連結して取付けた状態を示すもので、当該照明器具は、断面略コ字状で下面開口するとともに両端両側に取付けられたランプソケット支持板１５を有する長尺状の器具本体５と、当該器具本体５の下方に取着される逆三角型状の反射体２０とから構成され、当該反射体２０は、飾りねじ２５を前記ランプソケット支持板１５にそれぞれ螺着することにより、器具本体５に固定している。
【０００４】
前記反射体２０の両端両側には、矩形状貫通孔２１がそれぞれ穿設されるとともに、当該貫通孔２１から前記ランプソケット支持板１５に取着されたランプソケット１６が、下方に向けて突出し対向して並列に取付けられている。前記対向したランプソケット１６，１６間には、前記反射体２０の長手方向に沿って両側に直管形蛍光ランプ１７，１７が着脱可能にそれぞれ取着されている。
【０００５】
前記器具本体の天面部６中央下側には、前記ランプ１７を安定点灯させる安定器２６と電源線および内部配線などが接続される端子台２７がそれぞれ取付けられている。
【０００６】
複数個の照明器具を連結装置を使用して直線状に連結する手順を説明する。
【０００７】
被取付面である天井面４の天井裏には、取付ボルトがスラブ（図示せず）から吊下げられて取付けられ、当該取付ボルト１９の下端１９ａは、前記天井面６から突出している。
【０００８】
器具本体の天面部６両端には、図４に示すように、長手方向に沿って長孔７，７がそれぞれ穿設されている。それから、前記取付ボルト１９の下端１９ａに当該長孔７，７をそれぞれ挿入し、これら取付ボルト１９にナット２８を螺着して、前記器具本体５を取付ボルト１９に仮止めする。なお、取付ボルト１９に前記器具本体５を仮止めした状態では、天井面４と器具本体の天面部６との間は、連結板３６が器具本体の天面部６に取付けられる隙間が空いている。
【０００９】
器具本体同志を連結する連結装置３５は、図５に示すように、器具本体同士を連結する連結部材としての連結板３６と、当該連結板で器具本体同士を固定する頭部４０ａを有する複数個のねじ４０とから構成している。
【００１０】
連結部材としての連結板３６は、仮止めされた状態の器具本体同士の端部間に取付けられるもので、下方開口した断面略コ字状で矩形状をした連結板主体３７と当該連結板主体の両側から下方にそれぞれ折曲げ形成した一対の立下り片３８，３８とからなり、連結装置３５としてのねじ４０が螺着されるねじ孔３９が、前記連結板主体３７の両端両側にそれぞれ設けられている。
【００１１】
前記連結板主体に設けられたねじ孔３９にそれぞれ対向して、前記ねじ４０のねじ部４０ｂが挿通する貫通孔８が隣合う状態に連結配置される器具本体の天面部６端部にそれぞれ穿設されている。連結板の幅Ｘは、器具本体の幅Ｙに係合する形状になっている。
【００１２】
前記連結板３６を被取付面である天井面４に仮止めされた器具本体の天面部６側から隣合う器具本体端部間に跨ぐように取付ける。この状態では、連結板３６の両側に設けられた一対の立下り片３８，３８は、器具本体の側面部９，９に当接している。そこで、前記連結板３６を長手方向左右にスライドさせ、当該連結板３６に設けられたねじ孔３９を器具本体の貫通孔８に位置合せする。
【００１３】
前記器具本体の貫通孔８からねじ４０を下方からそれぞれ挿入し、当該ねじのねじ部４０ｂを連結板３６のねじ孔３９にそれぞれ螺着固定して、隣合う器具本体同士を連結板３６で連結するとともに、前記取付ボルト１９に螺着したナット２８を締付けて、器具本体５を天井面４に固定する。それから、器具本体５の下面に取付けられた安定器２６や端子台２７などの電気部品を図示しない電源電線で接続、配線する。また、連結された器具本体の反射体２０端面部に形成されたノックアウト用穴４７は抜取り、渡り配線を挿通させるのに使用される。
【００１４】
最後に、逆三角形状の反射体２０を飾りねじ２５で器具本体５に取付ける。なお、連結部材としての連結板３６は、合成樹脂（ポリエチレン、ポリプロピレン等）や金属製（鉄板、亜鉛メッキ、鋼板等）などから作られている。
【００１５】
【発明が解決しようとする課題】
上記のように従来の照明装置は、隣合う器具本体同士の端部を跨いで当該器具本体の天面部に取付けられる連結部材としての連結板と、当該連結板に設けられたねじ孔を器具本体の天面部に穿設した貫通孔に位置合せしたのち、当該器具本体の貫通孔から挿入して、当該連結板のねじ孔に螺着して隣合う器具本体同士を連結板で連結して構成されていた。
【００１６】
このため、隣合う器具本体同士の端部を跨いで当該器具本体の天面部に取付けられる連結板を所定の位置に位置合せする作業に手間を要するとともに、器具本体を連結板でねじにて連結する作業が困難であるという問題があった。
【００１７】
さらに、連結作業中に連結板やねじが床面に落下し、作業性が悪いという問題があった。
【００１８】
本発明は上記の点に鑑みてなされたもので、連結装置を器具本体に固定するねじを手に持たずに、器具本体同士が連結できる作業性の良い照明装置を提供することを課題とする。
【００１９】
【課題を解決するための手段】
前記課題を達成するために、請求項１記載の発明は、器具本体同士を連結装置で連結して被取付面に直線状に配列される照明装置において、前記連結装置は、前記隣合う器具本体端部の少なくとも天面部を被う連結部材と、当該連結部材の両端に下方からそれぞれ螺着仮止めされた頭部を有するねじとを備え、前記隣合う器具本体端部の天面部に、前記連結部材に仮止めされたねじの頭部が通る挿通孔と、当該挿通孔に前記器具本体の長手方向に沿って連設され当該ねじのねじ部が通るスリット状孔とからなる瓢箪状孔をそれぞれ形成するとともに、前記挿通孔を前記スリット状孔よりも前記器具本体の長手方向の端に寄せて設け、かつ、前記挿通孔とスリット状孔との間に、前記連結部材に仮止めされたねじを前記隣合う器具本体を連結状態で締付けたとき、当該ねじの頭部の側面が突当たる突起部を設けたことを特徴とするものである
【００２１】
上記の請求項１において、連結装置に取付け用のねじを仮止めし、照明器具の器具本体の天面部には、前記ねじの頭部より大きい径を持つ挿通孔と当該ねじのねじ部が通るスリット状孔とからなる瓢箪状孔を設けることにより、連結装置に仮止めされたねじで器具本体同志を連結固定することが可能になる。
更に、器具本体の天面部に設けた瓢箪状孔の近傍にねじの頭部が突当る突起部としての突起片を器具本体の端部側に設けたので、連結装置で位置決めされた隣合う器具本体が移動することはない。
【００２２】
【発明の実施の形態】
以下、図１ないし図２を参照して本発明の実施の形態を説明する。なお、従来技術と同一の構成部品は同一番号を付して説明する。
【００２３】
図１は本発明の第１の実施の形態に係る照明装置の連結装置と照明器具の器具本体とを示すものである。
【００２４】
連結装置４５は、従来技術と同一形状からなる連結部材としての連結板３６と、この連結板に仮止めされる頭部４０ａを有するねじ４０とから構成している。
【００２５】
前記連結板３６は、金属板や合成樹脂などから作られるとともに、下方開口した断面略コ字状で矩形状をした連結板主体３７と、当該連結板主体の両側から下方にそれぞれ折曲げ形成された一対の立下り片３８，３８とからなり、前記連結板主体３７の両端両側には、ねじ孔３９がそれぞれ設けられ、これらねじ孔３９には、図１（Ａ）に示すように、下方からねじ４０がそれぞれ仮止めされている。連結板３６に仮止めされたねじ４０は、当該ねじの頭部４０ａと当該連結板の連結板主体３７との間には隙間Ｚが形成され、この隙間Ｚは、器具本体の天面部６の厚さｔより大きな隙間になっている（Ｚ＞ｔ）。
【００２６】
前記器具本体の天面部６端部には、図１（Ｃ）に示すように、瓢箪状孔１１が穿設され、当該瓢箪状孔１１は、当該器具本体の天面部６端部側に穿設した前記連結板に仮止めされたねじの頭部４０ａが通る挿通孔１２と、当該挿通孔１２の長手方向に沿って前記ねじのねじ部０ｂが通るスリット状孔１３が連設されたものから構成している。さらに、前記器具本体に形成した挿通孔１２の外縁には、突起部としての突起片１４が、下方に向けてそれぞれ突出形成している。
【００２７】
前記器具本体に設けられたスリット状孔１３の端部ａは、図２（Ｃ）に示すように、器具本体同士を連結した状態で、連結板３６に仮止めしたねじのねじ部４０ｂが略当接する位置に設けられているとともに、当該連結板に仮止めしたねじ４０を締付けたとき、ねじの頭部４０ａは、器具本体の挿通孔１２外縁に設けた突起部としての突起片１４に、図２（Ｂ）に示すように、略当接する位置に設けられている。
【００２８】
照明装置の複数の照明器具を連結装置で被取付面としての天井面に直線状に取付ける手順を図１から図４を参照して説明する。
【００２９】
被取付面である天井面４から突出して取付けられている取付ボルト１９の下端１９ａを器具本体の天面部６両端にそれぞれ穿設された長孔７，７の略中心部にそれぞれ挿入する。それから、ナット２８を当該取付ボルト１９に螺着し、器具本体５を取付ボルト１９に仮止めする。
【００３０】
前記取付ボルト１９に仮止めされた器具本体５の端部から、ねじ４０を仮止めした連結装置４５を器具本体の長手方向に沿って器具本体上に載置する。当該器具本体上に載置された連結板３６の一対の立下り片３８，３８は、器具本体の側面部９，９に当接するように載置されるとともに、連結板に仮止めされたねじの頭部４０ａは、器具本体の天面部６に当接している。前記器具本体に連結して器具本体を取付ボルト１９にナット２８で仮止めする。
【００３１】
それから、連結板を器具本体の長手方向に沿って左右に動かすと、連結板に仮止めされたねじの頭部４０ａが、器具本体の天面部６に穿設した挿通孔１２と面一になると、連結板に仮止めされたねじ４０は、器具本体の挿通孔１２に入り込み、連結板の連結板主体３７は、器具本体の天面部６上に載置し、ねじの頭部４０ａは、挿通孔１２の下方に位置する。
【００３２】
前記隣合う器具本体５，５を相接近する方向に移動させると、連結板３６に仮止めされたねじのねじ部４０ｂは、器具本体に穿設したスリット状孔１３の端部ａに突当り、器具本体５は、所定の連結位置に止まる。それから、ねじ４０を締付けるとねじの頭部４０ａ側面は、瓢箪状孔１１の挿通孔１２側の縁部に設けた突起部としての突起片１４に近接、又は、接触しながら締付けられ、隣合う器具本体同士は、連結板３６に仮止めされたねじ４０とで連結される。
【００３３】
最後に、取付ボルト１９に仮止め螺着したナット２８を締付け、器具本体５を被取付面である天井面４に固定する。このとき、器具本体の天面部６の両端には、上方に突出するとともに上面が平坦状の突起部５０がそれぞれ設けてあるので、連結装置４５に仮止めされねじ４０の先端が天井面４に当たることはない。
【００３４】
なお、隣合う器具本体５，５を取付ボルト１９にナット２８で仮止めしたのち、器具本体の天面側から、当該隣合う器具本体５，５間の天面部６，６を跨ぐように取付ける方法であってもよい。
【００３５】
上記実施の形態の作用を説明する。
【００３６】
請求項１に記載したように、器具本体５には、前記ねじの頭部４０ａより少し大きい挿通孔１２と、ねじ部４０ｂより少し大きいスリット状孔１３とを備えた瓢箪状孔１１の当該挿通孔を器具本体の端部側に位置するように配置したので、連結装置４５に仮止めされたねじ４０で器具本体同志を連結固定することが可能になる。
【００３７】
そこで、連結装置を器具本体に固定するねじを持たずに、器具本体同志を連結装置で連結できるので、施工性の良好な照明器具の連結構造を提供することが可能になる。
【００３８】
更に、瓢箪状孔１１には、器具本体の天面部６下方側に突出する突起部としての突起片１４を設けたので、連結装置を器具本体に取付ける際には、まず、前記ねじの頭部より少し大きい挿通孔にねじの頭部をそれぞれ貫通させるとともに、突起部としての突起片を乗り越えてねじ部より少し大きいスリット状孔の位置でねじを締めて、連結装置と器具本体を接続する構造としている。
【００３９】
そこで、連結装置で連結された隣合う器具本体の位置が確実に位置決めされるので、単に、ねじを締め付けるだけで、隣合う器具本体同志を所定の位置に固定することができる。
【００４０】
【発明の効果】
以上詳記したように請求項１記載の発明によれば、器具本体には、前記ねじの頭部より少し大きい挿通孔とねじ部より少し大きいスリット状孔とを備えた瓢箪状孔の当該挿通孔を器具本体の端部側に位置するように配置し、挿通孔をスリット状孔よりも器具本体の長手方向の端に寄せて設けたので、連結装置を器具本体に固定するねじを持たずに、器具本体同志を連結でき、施工性を良好にすることが可能になる。
【００４１】
更に、請求項１記載のように器具本体の瓢箪状孔には、器具本体の天面部下面側に突起部を設けたので、連結金具に仮止めされたねじを、単に、締め付けるだけで隣合う器具本体同志を所定の位置に固定することができ、施工性を良好とすることが可能になる。
【図面の簡単な説明】
【図１】本発明の第１実施の形態に係る照明器具の連結装置と当該照明器具の器具本体とを示すもので、
（Ａ）は照明器具の連結装置を示す正面断面図。
（Ｂ）は照明器具の器具本体を示す正面図。
（Ｃ）は照明器具の器具本体を示す上面図。
【図２】同実施の形態における隣合う照明器具を連結装置で連結した状態を示すもので、  （Ａ）は正面図。  （Ｂ）は下方から見た平面図。（Ｃ）は照明器具を連結装置で連結した状態を示す正面断面図。
【図３】天井面に照明器具を直線状に多灯連結した状態を示す斜視図。
【図４】天井面に直線状に多灯連結した器具本体と当該器具本体に反射板を取付ける状態を示す斜視図。
【図５】従来技術に係る連結装置で隣合う照明器具を連結する状態を示す斜視図。
【符号の説明】
４…天井面（被取付面），
５…器具本体，
６…器具本体の天面部，
１１…瓢箪状孔，
１２…挿通孔，
１３…スリット状孔，
１４…突起片（突起部），
３６…連結板（連結部材），
４０…ねじ，
４０ａ…ねじの頭部，
４０ｂ…ねじのねじ部，
４５…連結装置。
【図１】
0004022940.tif 000002
【図２】
0004022940.tif 000003
【図３】
0004022940.tif 000004
【図４】
0004022940.tif 000005
【図５】
0004022940.tif 000006